(57)【要約】【課題】容器の内部が過熱した場合でも、隣接する蓄電素子への影響を小さく抑えるとともに、容器の内部の過熱を低減することができる蓄電素子を提供する。【解決手段】容器１１０を備える蓄電素子１００であって、容器１１０は、容器本体１１１と、容器本体１１１の外面の異なる位置に形成された第一絶縁層１４０と第二絶縁層１５０とを有し、第一絶縁層１４０は、第二絶縁層１５０よりも熱伝導度が高い。【選択図】図４
2015144068.tif 000002
【特許請求の範囲】
【請求項１】
容器を備える蓄電素子であって、
前記容器は、容器本体と、前記容器本体の外面の異なる位置に形成された第一絶縁層と第二絶縁層とを有し、
前記第一絶縁層は、前記第二絶縁層よりも熱伝導度が高い
蓄電素子。
【請求項２】
前記第一絶縁層は、前記容器本体の外面のうち、前記容器から放出される熱を冷却する冷却手段と対向する位置に形成されている
請求項１に記載の蓄電素子。
【請求項３】
前記第二絶縁層は、前記容器本体の外面のうち、隣接する蓄電素子と対向する位置に形成されている
請求項１または２に記載の蓄電素子。
【請求項４】
前記第二絶縁層は、熱伝導度が低い低熱伝導度絶縁層を少なくとも有しており、
前記第一絶縁層は、前記低熱伝導度絶縁層を有することなく、前記低熱伝導度絶縁層よりも熱伝導度が高い高熱伝導度絶縁層を有している
請求項１〜３のいずれか１項に記載の蓄電素子。
【請求項５】
前記第一絶縁層は、前記高熱伝導度絶縁層であり、
前記第二絶縁層は、前記低熱伝導度絶縁層である
請求項４に記載の蓄電素子。
【請求項６】
前記容器本体は、前記容器本体の外面のうちの第一面と第二面とを覆うように、前記高熱伝導度絶縁層が形成されており、
前記第二面に形成された前記高熱伝導度絶縁層上には、さらに前記低熱伝導度絶縁層が形成されており、
前記第一絶縁層は、前記第一面に形成された前記高熱伝導度絶縁層であり、
前記第二絶縁層は、前記第二面に形成された前記高熱伝導度絶縁層及び前記低熱伝導度絶縁層である
請求項４に記載の蓄電素子。
【請求項７】
前記第一絶縁層は、前記容器本体の底面に形成されており、
前記第二絶縁層は、前記容器本体の側面に形成されている
請求項１〜６のいずれか１項に記載の蓄電素子。
【請求項８】
請求項１〜７のいずれか１項に記載の第一絶縁層と第二絶縁層とが形成された容器を有する蓄電素子を複数備え、
前記複数の蓄電素子は、前記第二絶縁層同士が対向するように配置されるとともに、前記第一絶縁層が冷却手段と対向する位置に配置されている
蓄電モジュール。
【発明の詳細な説明】
【技術分野】
【０００１】
本発明は、容器を備える蓄電素子、及び当該蓄電素子を備える蓄電モジュールに関する。
【背景技術】
【０００２】
世界的な環境問題への取り組みとして、ガソリン自動車から電気自動車への転換が重要になってきている。このため、リチウムイオン二次電池などの蓄電素子を動力源に用いた電気自動車の開発が進められている。そして、このような蓄電素子においては、一般的に、金属製の容器を備えている。
【０００３】
ここで、当該蓄電素子において、他の蓄電素子の容器やその他の金属製の部材に接触した場合に、電気的短絡が生じる虞がある。このため、当該短絡を防ぐために、容器の内面に均一な厚みの絶縁被膜が形成された蓄電素子が提案されている（例えば、特許文献１参照）。
【先行技術文献】
【特許文献】
【０００４】
【特許文献１】特開２００７−２４２６０２号公報
【発明の概要】
【発明が解決しようとする課題】
【０００５】
ここで、上記従来の蓄電素子において、容器の内部が過熱した場合でも、隣接する蓄電素子への影響を小さく抑える必要がある。このため、容器から熱が放出されて隣接する蓄電素子に影響を及ぼさないように、容器に形成する絶縁被膜として熱伝導度の低い部材を用いることが考えられる。しかし、容器に熱伝導度の低い絶縁被膜を形成した場合、容器の内部に熱がこもってしまう。
【０００６】
このように、上記従来の蓄電素子では、容器の内部が過熱した場合に、隣接する蓄電素子への影響を小さく抑えようとすれば、容器の内部に熱がこもってしまい、容器の内部の過熱を低減することができないという問題がある。
【０００７】
本発明は、上記問題を解決するためになされたものであり、容器の内部が過熱した場合でも、隣接する蓄電素子への影響を小さく抑えるとともに、容器の内部の過熱を低減することができる蓄電素子及び蓄電モジュールを提供することを目的とする。
【課題を解決するための手段】
【０００８】
上記目的を達成するために、本発明の一態様に係る蓄電素子は、容器を備える蓄電素子であって、前記容器は、容器本体と、前記容器本体の外面の異なる位置に形成された第一絶縁層と第二絶縁層とを有し、前記第一絶縁層は、前記第二絶縁層よりも熱伝導度が高い。
【０００９】
これによれば、蓄電素子において、容器本体の外面の異なる位置に、第一絶縁層と第二絶縁層とが形成されており、第一絶縁層は、第二絶縁層よりも熱伝導度が高い。つまり、蓄電素子の内部が過熱して容器から熱が放出される場合に、第二絶縁層が形成されている位置からは熱の伝達を抑制し、第一絶縁層が形成されている位置からは熱を放出させるように、選択的に容器から熱を放出させることができる。このため、当該蓄電素子において、容器の内部が過熱した場合でも、隣接する蓄電素子に対しては熱を放出しないように選択的に容器から熱を放出させることで、隣接する蓄電素子への影響を小さく抑えるとともに、容器の内部の過熱を低減することができる。
【００１０】
また、前記第一絶縁層は、前記容器本体の外面のうち、前記容器から放出される熱を冷却する冷却手段と対向する位置に形成されていることにしてもよい。
【００１１】
これによれば、蓄電素子において、熱伝導度が高い第一絶縁層を冷却手段と対向する位置に形成することで、蓄電素子の内部から当該第一絶縁層を介して放出される熱を冷却手段で冷却することができる。このため、蓄電素子を外部から効率良く冷却して、容器の内部の過熱を低減することができる。
【００１２】
また、前記第二絶縁層は、前記容器本体の外面のうち、隣接する蓄電素子と対向する位置に形成されていることにしてもよい。
【００１３】
これによれば、蓄電素子において、熱伝導度が低い第二絶縁層を、隣接する蓄電素子と対向する位置に形成することで、当該第二絶縁層を介して当該隣接する蓄電素子に熱が伝達されるのを抑制し、当該熱による当該隣接する蓄電素子への影響を小さく抑えることができる。
【００１４】
また、前記第二絶縁層は、熱伝導度が低い低熱伝導度絶縁層を少なくとも有しており、前記第一絶縁層は、前記低熱伝導度絶縁層を有することなく、前記低熱伝導度絶縁層よりも熱伝導度が高い高熱伝導度絶縁層を有していることにしてもよい。
【００１５】
これによれば、第二絶縁層は、低熱伝導度絶縁層を少なくとも有し、第一絶縁層は、低熱伝導度絶縁層を有することなく高熱伝導度絶縁層を有するように形成することで、第一絶縁層を、第二絶縁層よりも熱伝導度が高く構成することができる。
【００１６】
また、前記第一絶縁層は、前記高熱伝導度絶縁層であり、前記第二絶縁層は、前記低熱伝導度絶縁層であることにしてもよい。
【００１７】
これによれば、第一絶縁層は高熱伝導度絶縁層であり、第二絶縁層は低熱伝導度絶縁層であるため、絶縁層を重ねると絶縁層の厚みが厚くなるが、第一絶縁層と第二絶縁層とを絶縁層を重ねない１層構造とすることで、厚みの薄い絶縁層を構成することができる。また、絶縁層を重ねないことで、絶縁材料の使用量を低減し、コストを低減することができる。
【００１８】
また、前記容器本体は、前記容器本体の外面のうちの第一面と第二面とを覆うように、前記高熱伝導度絶縁層が形成されており、前記第二面に形成された前記高熱伝導度絶縁層上には、さらに前記低熱伝導度絶縁層が形成されており、前記第一絶縁層は、前記第一面に形成された前記高熱伝導度絶縁層であり、前記第二絶縁層は、前記第二面に形成された前記高熱伝導度絶縁層及び前記低熱伝導度絶縁層であることにしてもよい。
【００１９】
これによれば、容器本体の第一面には第一絶縁層として高熱伝導度絶縁層が形成され、第二面には第二絶縁層として高熱伝導度絶縁層及び低熱伝導度絶縁層が形成されている。ここで、第一面と第二面とのいずれか一方に絶縁層を塗布などによって形成する場合には、第一面または第二面にマスキングを行う必要があるが、第一面と第二面との両方に絶縁層を形成する場合には、当該マスキングは不要である。このため、第一面と第二面との両方に高熱伝導度絶縁層を形成してから、第二面に低熱伝導度絶縁層を形成することで、マスキングの回数を低減させて、第一絶縁層と第二絶縁層とを形成することができる。
【００２０】
また、前記第一絶縁層は、前記容器本体の底面に形成されており、前記第二絶縁層は、前記容器本体の側面に形成されていることにしてもよい。
【００２１】
これによれば、第一絶縁層は、容器本体の底面に形成され、第二絶縁層は、容器本体の側面に形成されている。つまり、蓄電素子と隣接する側面には熱伝導度が低い第二絶縁層を配置し、冷却手段と接する底面には熱伝導度が高い第一絶縁層を配置することで、隣接する蓄電素子に熱が伝達されるのを抑制しつつ、底面から選択的に熱を放出させることができる。
【００２２】
また、上記目的を達成するために、本発明の一態様に係る蓄電モジュールは、上記のいずれかの第一絶縁層と第二絶縁層とが形成された容器を有する蓄電素子を複数備え、前記複数の蓄電素子は、前記第二絶縁層同士が対向するように配置されるとともに、前記第一絶縁層が冷却手段と対向する位置に配置されている。
【００２３】
これによれば、蓄電モジュールにおいて、隣り合う蓄電素子に熱が伝達されるのを抑制しつつ、蓄電素子の内部から放出される熱を冷却手段で冷却することができる。これにより、一の蓄電素子の容器の内部が過熱した場合でも、隣接する他の蓄電素子への影響を小さく抑えるとともに、当該一の蓄電素子の容器の内部の過熱を低減することができる。
【００２４】
なお、本発明は、このような蓄電素子または蓄電モジュールとして実現することができるだけでなく、当該蓄電素子に備えられる容器として実現することもできる。
【発明の効果】
【００２５】
本発明における蓄電素子によれば、容器の内部が過熱した場合でも、隣接する蓄電素子への影響を小さく抑えるとともに、容器の内部の過熱を低減することができる。
【図面の簡単な説明】
【００２６】
【図１】本発明の実施の形態に係る蓄電モジュールの外観を示す斜視図である。
【図２】本発明の実施の形態に係る蓄電素子の外観を示す斜視図である。
【図３】本発明の実施の形態に係る蓄電素子の容器の容器本体を分離して蓄電素子が備える各構成要素を示す斜視図である。
【図４】本発明の実施の形態に係る蓄電素子を上下方向に切断した場合の容器の構成を示す断面図である。
【図５】本発明の実施の形態に係る容器本体に蓋体を取り付ける工程を示す斜視図である。
【図６】本発明の実施の形態に係る蓋体が取り付けられた容器本体に第一絶縁層及び第二絶縁層を配置する工程を示す斜視図である。
【図７】本発明の実施の形態に係る蓄電モジュール内に複数の蓄電素子が配置されている状態を示す断面図である。
【図８】本発明の実施の形態の変形例１に係る蓄電素子が有する第一絶縁層及び第二絶縁層の詳細な構成を示す断面図である。
【図９】本発明の実施の形態の変形例２に係る蓄電素子が有する第一絶縁層及び第二絶縁層の詳細な構成を示す断面図である。
【図１０】本発明の実施の形態の変形例３に係る蓄電素子が有する第一絶縁層及び第二絶縁層の詳細な構成を示す断面図である。
【図１１】本発明の実施の形態の変形例４に係る蓄電モジュールの外観を示す斜視図である。
【発明を実施するための形態】
【００２７】
以下、図面を参照しながら、本発明の実施の形態に係る蓄電素子、及び当該蓄電素子を備える蓄電モジュールについて説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００２８】
（実施の形態）
まず、蓄電モジュール１０の構成について、説明する。
【００２９】
図１は、本発明の実施の形態に係る蓄電モジュール１０の外観を示す斜視図である。なお、同図は、外装体２００を透視して外装体２００内方を示した図となっている。
【００３０】
また、同図では、Ｚ軸方向を上下方向（設置状態での重力の作用する方向）として示しており、以下ではＺ軸方向を上下方向として説明するが、使用態様によってはＺ軸方向が上下方向にならない場合も考えられるため、Ｚ軸方向は上下方向となることには限定されない。以下の図においても、同様である。
【００３１】
なお、以下において、例えば、Ｘ軸方向プラス側とは、Ｘ軸の矢印方向側を示しており、Ｘ軸方向マイナス側とは、Ｘ軸方向プラス側とは反対側を示す。Ｙ軸方向やＺ軸方向についても同様である。
【００３２】
蓄電モジュール１０は、外部からの電気を充電し、また外部へ電気を放電することができる蓄電装置（電池モジュール）である。これらの図に示すように、蓄電モジュール１０は、複数の蓄電素子１００（本実施の形態では、５つの蓄電素子１００）と、当該複数の蓄電素子１００を収容する外装体２００と、当該複数の蓄電素子１００を冷却する冷却手段３００とを備えている。
【００３３】
なお、蓄電モジュール１０は、隣り合う蓄電素子１００同士を電気的に接続するバスバーや、複数の蓄電素子１００の充電状態や放電状態を監視するための制御基板なども有しているが、これらの図示は省略し、詳細な説明も省略する。
【００３４】
蓄電素子１００は、電気を充電し、また、電気を放電することのできる二次電池であり、より具体的には、リチウムイオン二次電池などの非水電解質二次電池である。本実施の形態では、５個の矩形状の蓄電素子１００が直列に配置されている。
【００３５】
なお、蓄電素子１００の個数は５個に限定されず、他の複数個数または１個であってもよい。また、蓄電素子１００の形状も特に限定されない。また、蓄電素子１００は、非水電解質二次電池には限定されず、非水電解質二次電池以外の二次電池であってもよいし、キャパシタであってもよい。この蓄電素子１００の構成の詳細な説明については、後述する。
【００３６】
外装体２００は、蓄電モジュール１０の外装体を構成する矩形状の部材である。外装体２００は、複数の蓄電素子１００を所定の位置に配置し、複数の蓄電素子１００を衝撃などから保護する。
【００３７】
具体的には、外装体２００は、複数の蓄電素子１００を載置する載置部材と、複数の蓄電素子１００の両側方に配置され当該複数の蓄電素子１００を締結するための２つの締結部材と、当該２つの締結部材を接続する接続部材とを有している。これにより、外装体２００内に複数の蓄電素子１００が収容される。
【００３８】
なお、外装体２００は、上記の構成には限定されず、箱型の本体部分と蓋部分とを有しており、複数の蓄電素子１００が収容される構成であってもかまわない。また、外装体２００には、外部からの電気を充電し、また外部へ電気を放電するための外部電極端子が設けられているが、図示及び詳細な説明は省略する。
【００３９】
冷却手段３００は、複数の蓄電素子１００を冷却する部材であり、外装体２００の底面部分に配置されている。つまり、冷却手段３００は、複数の蓄電素子１００の容器の底面に当接することで、当該複数の蓄電素子１００のそれぞれの容器から放出される熱を冷却する。冷却手段３００は、例えば、内方に冷却水や冷却用空気が配置される高熱伝導度の金属製の冷却板であり、蓄電素子１００を水冷却または空気冷却する。
【００４０】
なお、冷却手段３００は、中実の金属製の冷却板であってもよいし、形状は板状でなくともよく、シート状や棒状などでもかまわない。また、冷却手段３００は、固体でなくともよく、外装体２００の底面部分に、冷却手段３００としての冷却用空気（気体）または冷却水（液体）が流れる構成であってもよい。
【００４１】
次に、蓄電素子１００について、詳細に説明する。
【００４２】
図２は、本発明の実施の形態に係る蓄電素子１００の外観を示す斜視図である。また、図３は、本発明の実施の形態に係る蓄電素子１００の容器１１０の容器本体１１１を分離して蓄電素子１００が備える各構成要素を示す斜視図である。なお、同図では、蓄電素子１００の容器１１０の第一絶縁層１４０及び第二絶縁層１５０は省略して図示している。
【００４３】
これらの図に示すように、蓄電素子１００は、容器１１０と、正極端子１２０と、負極端子１３０とを備えている。また、容器１１０は、容器本体１１１と、蓋体１１２と、第一絶縁層１４０と、第二絶縁層１５０とを有しており、容器１１０内方には、電極体１１３と、正極集電部材１１４と、負極集電部材１１５とが配置されている。
【００４４】
なお、容器１１０の内部には電解液などの液体が封入されているが、当該液体の図示は省略する。また、蓋体１１２などには容器１１０内方の圧力を開放する安全弁が配置されていてもよい。
【００４５】
容器１１０は、金属からなる矩形筒状で底を備え開口部１１１ａが形成された容器本体１１１と、容器本体１１１の開口部１１１ａを閉塞する金属製の蓋体１１２とを有している。また、容器１１０は、電極体１１３等を内部に収容後、蓋体１１２と容器本体１１１とが溶接等されることにより、内部を密封することができるものとなっている。また、容器１１０の外面には、第一絶縁層１４０及び第二絶縁層１５０が形成されている。この第一絶縁層１４０及び第二絶縁層１５０の構成の詳細な説明については、後述する。
【００４６】
電極体１１３は、正極と負極とセパレータとを備え、電気を蓄えることができる発電要素である。具体的には、電極体１１３は、正極と負極との間にセパレータが挟み込まれるように層状に配置されたものを全体が長円形状となるように巻回されて形成された巻回型の電極体である。なお、電極体１１３の形状は円形状または楕円形状でもよい。
【００４７】
正極は、アルミニウムまたはアルミニウム合金などからなる長尺帯状の導電性の正極集電箔の表面に、正極活物質層が形成された電極板である。なお、正極活物質層に用いられる正極活物質としては、リチウムイオンを吸蔵放出可能な正極活物質であれば、適宜公知の材料を使用できる。例えば、正極活物質として、ＬｉＭＰＯ４、ＬｉＭＳｉＯ４、ＬｉＭＢＯ３（ＭはＦｅ、Ｎｉ、Ｍｎ、Ｃｏ等から選択される１種又は２種以上の遷移金属元素）等のポリアニオン化合物、チタン酸リチウム、マンガン酸リチウム等のスピネル化合物、ＬｉＭＯ２（ＭはＦｅ、Ｎｉ、Ｍｎ、Ｃｏ等から選択される１種又は２種以上の遷移金属元素）等のリチウム遷移金属酸化物等を用いることができる。
【００４８】
負極は、銅または銅合金などからなる長尺帯状の導電性の負極集電箔の表面に、負極活物質層が形成された電極板である。なお、負極活物質層に用いられる負極活物質としては、リチウムイオンを吸蔵放出可能な負極活物質であれば、適宜公知の材料を使用できる。例えば、負極活物質として、リチウム金属、リチウム合金（リチウム−アルミニウム、リチウム−鉛、リチウム−錫、リチウム−アルミニウム−錫、リチウム−ガリウム、及びウッド合金等のリチウム金属含有合金）の他、リチウムを吸蔵・放出可能な合金、炭素材料（例えば黒鉛、難黒鉛化炭素、易黒鉛化炭素、低温焼成炭素、非晶質カーボン等）、金属酸化物、リチウム金属酸化物（Ｌｉ４Ｔｉ５Ｏ１２等）、ポリリン酸化合物などが挙げられる。
【００４９】
正極端子１２０は、正極集電部材１１４を介して、電極体１１３の正極に電気的に接続された電極端子であり、負極端子１３０は、負極集電部材１１５を介して、電極体１１３の負極に電気的に接続された電極端子である。
【００５０】
つまり、正極端子１２０及び負極端子１３０は、電極体１１３に蓄えられている電気を蓄電素子１００の外部空間に導出し、また、電極体１１３に電気を蓄えるために蓄電素子１００の内部空間に電気を導入するための金属製の電極端子である。また、正極端子１２０及び負極端子１３０は、電極体１１３の上方に配置された蓋体１１２に取り付けられている。
【００５１】
正極集電部材１１４は、電極体１１３の正極と容器１１０の側壁との間に配置され、正極端子１２０と電極体１１３の正極とに電気的に接続される導電性と剛性とを備えた部材である。なお、正極集電部材１１４は、当該正極の正極集電箔と同様、アルミニウムまたはアルミニウム合金などを主成分とする金属で形成されている。
【００５２】
負極集電部材１１５は、電極体１１３の負極と容器１１０の側壁との間に配置され、負極端子１３０と電極体１１３の負極とに電気的に接続される導電性と剛性とを備えた部材である。なお、負極集電部材１１５は、当該負極の負極集電箔と同様、銅または銅合金などを主成分とする金属で形成されている。
【００５３】
次に、容器１１０が有する第一絶縁層１４０及び第二絶縁層１５０について、詳細に説明する。
【００５４】
図４は、本発明の実施の形態に係る蓄電素子１００を上下方向に切断した場合の容器１１０の構成を示す断面図である。具体的には、同図は、蓄電素子１００をＹＺ平面で切断した場合の容器１１０が有する第一絶縁層１４０及び第二絶縁層１５０の構成を示す断面図であり、電極体１１３などの容器１１０の内部の構成要素は省略して図示している。
【００５５】
図２及び図４に示すように、第一絶縁層１４０及び第二絶縁層１５０は、容器１１０の容器本体１１１の外面の異なる位置に形成された絶縁性を有する絶縁層である。
【００５６】
具体的には、第一絶縁層１４０は、容器本体１１１の底面に形成されている。つまり、第一絶縁層１４０は、容器本体１１１の底面に絶縁塗装が施されて形成された絶縁コート層である。さらに具体的には、第一絶縁層１４０は、容器本体１１１の底面を覆うように、当該底面に絶縁塗料を静電塗装することで形成された絶縁層である。
【００５７】
第二絶縁層１５０は、容器本体１１１の側面に形成されている。つまり、第二絶縁層１５０は、容器本体１１１の４側面に絶縁塗装が施されて形成された絶縁コート層である。さらに具体的には、第二絶縁層１５０は、容器本体１１１の４側面を覆うように、当該４側面に絶縁塗料を静電塗装することで形成された絶縁層である。
【００５８】
また、第二絶縁層１５０は、熱伝導度が低い低熱伝導度絶縁層１７０を少なくとも有している。本実施の形態では、第二絶縁層１５０は、低熱伝導度絶縁層１７０である。なお、熱伝導度が低いとは、熱伝導率が小さく、熱を伝え難い性質をいう。
【００５９】
ここで、低熱伝導度絶縁層１７０（本実施の形態では、第二絶縁層１５０）の材質は、蓄電素子１００に必要な絶縁性を確保できる低熱伝導度のものであれば特に限定されないが、例えば、エポキシ樹脂からなる粒子を塗装することによって低熱伝導度絶縁層１７０を形成することができる。なお、低熱伝導度絶縁層１７０に用いられる材質としては、エポキシ樹脂の他に、ポリエチレンテレフタラート、ポリエチレン、カプトン、テフロン（登録商標）、シリコン、ポリイソプレン、及びポリ塩化ビニルなどの絶縁性のポリマーを例示することができる。
【００６０】
また、第二絶縁層１５０は、高硬度であることなどから絶縁塗装によって形成するのが好ましいが、ポリプロピレン（ＰＰ）やポリエチレン（ＰＥ）などの樹脂によって形成された絶縁テープを容器本体１１１の４側面に貼り付けることにより形成することにしてもよい。
【００６１】
また、本実施の形態では、第二絶縁層１５０は、蓋体１１２の上面部（Ｚ軸方向プラス側の面）にも配置されているが、第二絶縁層１５０は、蓋体１１２の上面部には配置されないような構成でもかまわない。
【００６２】
また、第一絶縁層１４０は、第二絶縁層１５０よりも熱伝導度が高い絶縁層である。つまり、第一絶縁層１４０は、低熱伝導度絶縁層１７０を有することなく、低熱伝導度絶縁層１７０よりも熱伝導度が高い高熱伝導度絶縁層１６０を有している。本実施の形態では、第一絶縁層１４０は、高熱伝導度絶縁層１６０である。なお、熱伝導度が高いとは、熱伝導率が大きく、熱を伝え易い性質をいう。
【００６３】
ここで、高熱伝導度絶縁層１６０（本実施の形態では、第一絶縁層１４０）の材質は、蓄電素子１００に必要な絶縁性を確保できる高熱伝導度のものであれば特に限定されないが、例えば、エポキシ樹脂にアルミナとカーボンとからなるフィラー粒子を混ぜ込んだものを塗装することによって高熱伝導度絶縁層１６０を形成することができる。なお、エポキシ樹脂に代えて、ポリエチレンテレフタラート、ポリエチレン、カプトン、テフロン（登録商標）、シリコン、ポリイソプレン、及びポリ塩化ビニルなどの絶縁性のポリマーを用いることにしてもよい。
【００６４】
また、第一絶縁層１４０は、第二絶縁層１５０と同様に、絶縁塗装によって形成するのが好ましいが、絶縁テープを容器本体１１１の底面に貼り付けることにより形成することにしてもよい。
【００６５】
また、第一絶縁層１４０及び第二絶縁層１５０の厚みは、蓄電素子１００に必要な絶縁性を確保できるのであれば特に限定されず、また、厚みのばらつきも均一な厚みとなっていなくともかまわないが、均一な厚みとなるのが好ましい。
【００６６】
次に、蓄電素子１００を製造する工程のうち、容器本体１１１及び蓋体１１２に、第一絶縁層１４０及び第二絶縁層１５０を配置する工程について、説明する。
【００６７】
図５は、本発明の実施の形態に係る容器本体１１１に蓋体１１２を取り付ける工程を示す斜視図である。また、図６は、本発明の実施の形態に係る蓋体１１２が取り付けられた容器本体１１１に第一絶縁層１４０及び第二絶縁層１５０を配置する工程を示す斜視図である。
【００６８】
まず、図５に示すように、容器本体１１１の開口部１１１ａから、容器本体１１１の内方に、電極体１１３等を収容して、容器本体１１１の上に蓋体１１２を配置する。そして、容器本体１１１と蓋体１１２との境界部分にレーザ光線を照射して、レーザ溶接により、容器本体１１１に蓋体１１２を固定する。
【００６９】
そして、図６の（ａ）に示すように、容器本体１１１の４側面に絶縁塗料を静電塗布し熱硬化させることで、容器本体１１１の４側面に第二絶縁層１５０を形成する。なお、この際、容器本体１１１の底面には絶縁塗料を塗布しないように、当該底面にマスキングを行う。
【００７０】
そして、図６の（ｂ）に示すように、容器本体１１１の底面に絶縁塗料を静電塗布し熱硬化させることで、容器本体１１１の底面に第一絶縁層１４０を形成する。なお、この際、容器本体１１１の４側面面には絶縁塗料を塗布しないように、当該４側面にマスキングを行う。
【００７１】
これにより、容器１１０の上面以外が第一絶縁層１４０及び第二絶縁層１５０によって覆われ、絶縁性部材で覆われた蓄電素子１００が製造される。
【００７２】
なお、上記では、容器本体１１１に蓋体１１２を取り付けた後に、容器本体１１１に絶縁層（第一絶縁層１４０及び第二絶縁層１５０）を塗装することとしたが、容器本体１１１に絶縁層を塗装した後に、容器本体１１１に蓋体１１２を取り付けることにしてもよい。例えば、塗装工程で高温にさらす必要がある場合には、セルの劣化を防ぐために、容器本体１１１に絶縁層を塗装した後に、容器本体１１１に蓋体１１２を取り付けるのが好ましい。
【００７３】
また、容器本体１１１への絶縁層の塗装は、上記の粉体塗料による塗装には限定されず、例えば液体塗料による塗装を施すことにしてもかまわない。
【００７４】
次に、蓄電モジュール１０内における複数の蓄電素子１００が有する第一絶縁層１４０及び第二絶縁層１５０の配置位置について、説明する。
【００７５】
図７は、本発明の実施の形態に係る蓄電モジュール１０内に複数の蓄電素子１００が配置されている状態を示す断面図である。具体的には、同図は、蓄電モジュール１０をＹＺ平面で切断した場合の複数の蓄電素子１００が有する第一絶縁層１４０及び第二絶縁層１５０の配置位置を示す断面図であり、電極体１１３などの容器１１０の内部の構成要素は省略して図示している。
【００７６】
同図に示すように、複数の蓄電素子１００の容器１１０が有する第一絶縁層１４０は、容器本体１１１の外面のうち、容器１１０から放出される熱を冷却する冷却手段３００と対向する位置に形成されている。つまり、複数の蓄電素子１００は、冷却手段３００上に載置されているため、容器１１０の底面に形成された第一絶縁層１４０は、冷却手段３００に当接して配置されている。
【００７７】
なお、第一絶縁層１４０の全面が冷却手段３００に当接していなくともよい。つまり、蓄電素子１００は、第一絶縁層１４０の一部または全面において第一絶縁層１４０と冷却手段３００との間に僅かな隙間を空けて、冷却手段３００上に配置されていることにしてもよい。
【００７８】
また、複数の蓄電素子１００の容器１１０が有する第二絶縁層１５０は、容器本体１１１の外面のうち、隣接する蓄電素子１００と対向する位置に形成されている。つまり、複数の蓄電素子１００は、隣り合う蓄電素子１００の第二絶縁層１５０同士が当接して配置されている。
【００７９】
なお、第二絶縁層１５０の全面同士が当接していなくともよい。つまり、蓄電素子１００は、第二絶縁層１５０の一部または全面において、第二絶縁層１５０同士が僅かな隙間を空けて配置されていることにしてもよい。
【００８０】
このように、複数の蓄電素子１００は、第二絶縁層１５０同士が対向するように配置されるとともに、第一絶縁層１４０が冷却手段３００と対向する位置に配置されている。
【００８１】
以上のように、本発明の実施の形態に係る蓄電素子１００によれば、容器本体１１１の外面の異なる位置に、第一絶縁層１４０と第二絶縁層１５０とが形成されており、第一絶縁層１４０は、第二絶縁層１５０よりも熱伝導度が高い。つまり、蓄電素子１００の内部が過熱して容器１１０から熱が放出される場合に、第二絶縁層１５０が形成されている位置からは熱の伝達を抑制し、第一絶縁層１４０が形成されている位置からは熱を放出させるように、選択的に容器１１０から熱を放出させることができる。このため、蓄電素子１００において、容器１１０の内部が過熱した場合でも、隣接する蓄電素子１００に対しては熱を放出しないように選択的に容器１１０から熱を放出させることで、隣接する蓄電素子１００への影響を小さく抑えるとともに、容器１１０の内部の過熱を低減することができる。
【００８２】
また、蓄電素子１００において、熱伝導度が高い第一絶縁層１４０を冷却手段３００と対向する位置に形成することで、蓄電素子１００の内部から第一絶縁層１４０を介して放出される熱を冷却手段３００で冷却することができる。このため、蓄電素子１００を外部から効率良く冷却して、容器１１０の内部の過熱を低減することができる。
【００８３】
また、蓄電素子１００において、熱伝導度が低い第二絶縁層１５０を、隣接する蓄電素子１００と対向する位置に形成することで、第二絶縁層１５０を介して当該隣接する蓄電素子１００に熱が伝達されるのを抑制し、当該熱による当該隣接する蓄電素子１００への影響を小さく抑えることができる。
【００８４】
また、第二絶縁層１５０は、低熱伝導度絶縁層１７０を少なくとも有し、第一絶縁層１４０は、低熱伝導度絶縁層１７０を有することなく高熱伝導度絶縁層１６０を有するように形成することで、第一絶縁層１４０を、第二絶縁層１５０よりも熱伝導度が高く構成することができる。
【００８５】
また、第一絶縁層１４０は高熱伝導度絶縁層１６０であり、第二絶縁層１５０は低熱伝導度絶縁層１７０であるため、絶縁層を重ねると絶縁層の厚みが厚くなるが、第一絶縁層１４０と第二絶縁層１５０とを絶縁層を重ねない１層構造とすることで、厚みの薄い絶縁層を構成することができる。また、絶縁層を重ねないことで、絶縁材料の使用量を低減し、コストを低減することができる。
【００８６】
また、第一絶縁層１４０は、容器本体１１１の底面に形成され、第二絶縁層１５０は、容器本体１１１の側面に形成されている。つまり、蓄電素子１００と隣接する側面には熱伝導度が低い第二絶縁層１５０を配置し、冷却手段３００と接する底面には熱伝導度が高い第一絶縁層１４０を配置することで、隣接する蓄電素子１００に熱が伝達されるのを抑制しつつ、底面から選択的に熱を放出させることができる。
【００８７】
また、本発明の実施の形態に係る蓄電モジュール１０によれば、隣り合う蓄電素子１００に熱が伝達されるのを抑制しつつ、蓄電素子１００の内部から放出される熱を冷却手段３００で冷却することができる。これにより、一の蓄電素子１００の容器１１０の内部が過熱した場合でも、隣接する他の蓄電素子１００への影響を小さく抑えるとともに、当該一の蓄電素子１００の容器１１０の内部の過熱を低減することができる。
【００８８】
（変形例１）
次に、上記実施の形態の変形例１について、説明する。上記実施の形態では、第一絶縁層１４０として、高熱伝導度絶縁層１６０が容器本体１１１の底面の全面に形成され、第二絶縁層１５０として、低熱伝導度絶縁層１７０が容器本体１１１の４側面の全面に形成されていることとした。しかし、本変形例では、高熱伝導度絶縁層及び低熱伝導度絶縁層の形成される位置は、それぞれ容器本体１１１の底面の全面及び４側面の全面ではなく、例えば、容器本体１１１の底面の一部には、高熱伝導度絶縁層ではなく低熱伝導度絶縁層が形成される。
【００８９】
図８は、本発明の実施の形態の変形例１に係る蓄電素子１０１が有する第一絶縁層１４１及び第二絶縁層１５１の詳細な構成を示す断面図である。具体的には、同図は、蓄電素子１０１をＹＺ平面で切断した場合の第一絶縁層１４１及び第二絶縁層１５１の構成を示す断面図であり、電極体１１３などの容器１１０の内部の構成要素は省略して図示している。
【００９０】
同図に示すように、蓄電素子１０１は、第一絶縁層１４１として高熱伝導度絶縁層１６１を有しており、第二絶縁層１５１として低熱伝導度絶縁層１７１ａを有している。第一絶縁層１４１は、容器本体１１１の底面の中央部分に形成されている。
【００９１】
また、蓄電素子１０１は、容器本体１１１の底面の第一絶縁層１４１の周りを囲うように形成された低熱伝導度絶縁層１７１ｂを有している。つまり、低熱伝導度絶縁層１７１ｂが、容器本体１１１の底面に形成されている。
【００９２】
以上のように、本発明の実施の形態の変形例１に係る蓄電素子１０１によれば、上記実施の形態における高熱伝導度絶縁層１６０及び低熱伝導度絶縁層１７０とは異なる範囲の高熱伝導度絶縁層１６１及び低熱伝導度絶縁層１７１ａ、１７１ｂを有するが、上記実施の形態と同様の効果を奏することができる。
【００９３】
なお、第二絶縁層としての低熱伝導度絶縁層が、容器本体１１１の側面の全体ではなく、当該側面の一部にのみ形成されている構成でもよく、また、当該側面に複数に分かれて形成されている構成でもかまわない。また、第二絶縁層としての低熱伝導度絶縁層は、容器本体１１１の４側面のうちのいずれかの側面にのみ形成されている構成でもかまわない。また、第一絶縁層としての高熱伝導度絶縁層は、容器本体１１１の底面に複数に分かれて形成されている構成でもかまわない。
【００９４】
（変形例２）
次に、上記実施の形態の変形例２について、説明する。上記実施の形態では、第一絶縁層１４０として、高熱伝導度絶縁層１６０が容器本体１１１の底面に形成され、第二絶縁層１５０として、低熱伝導度絶縁層１７０が容器本体１１１の４側面に形成されていることとした。しかし、本変形例では、第二絶縁層として、高熱伝導度絶縁層が容器本体１１１の４側面に形成され、かつ、高熱伝導度絶縁層上に低熱伝導度絶縁層が形成される。
【００９５】
図９は、本発明の実施の形態の変形例２に係る蓄電素子１０２が有する第一絶縁層１４２及び第二絶縁層１５２の詳細な構成を示す断面図である。具体的には、同図は、蓄電素子１０２をＹＺ平面で切断した場合の第一絶縁層１４２及び第二絶縁層１５２の構成を示す断面図であり、電極体１１３などの容器１１０の内部の構成要素は省略して図示している。
【００９６】
同図に示すように、蓄電素子１０２は、第一絶縁層１４２として高熱伝導度絶縁層１６２ａを有しており、第二絶縁層１５２として低熱伝導度絶縁層１７２及び高熱伝導度絶縁層１６２ｂを有している。つまり、容器本体１１１の４側面及び底面に、高熱伝導度絶縁層１６２ａ、１６２ｂが形成され、高熱伝導度絶縁層１６２ｂ上に低熱伝導度絶縁層１７２が形成されている。
【００９７】
このように、容器本体１１１には、容器本体１１１の外面のうちの第一面（底面）と第二面（側面）とを覆うように、高熱伝導度絶縁層１６２ａ、１６２ｂが形成されており、第二面（側面）に形成された高熱伝導度絶縁層１６２ｂ上には、さらに低熱伝導度絶縁層１７２が形成されている。ここで、第一絶縁層１４２は、第一面（底面）に形成された高熱伝導度絶縁層１６２ａであり、第二絶縁層１５２は、第二面（側面）に形成された高熱伝導度絶縁層１６２ｂ及び低熱伝導度絶縁層１７２である。
【００９８】
以上のように、本発明の実施の形態の変形例２に係る蓄電素子１０２によれば、第一絶縁層１４２は、第二絶縁層１５２よりも熱伝導度が高いため、上記実施の形態と同様の効果を奏することができる。
【００９９】
また、本変形例によれば、容器本体１１１の第一面（底面）には第一絶縁層１４２として高熱伝導度絶縁層１６２ａが形成され、第二面（側面）には第二絶縁層１５２として高熱伝導度絶縁層１６２ｂ及び低熱伝導度絶縁層１７２が形成されている。ここで、第一面と第二面とのいずれか一方に絶縁層を塗布などによって形成する場合には、第一面または第二面にマスキングを行う必要があるが、第一面と第二面との両方に絶縁層を形成する場合には、当該マスキングは不要である。このため、第一面と第二面との両方に高熱伝導度絶縁層を形成してから、第二面に低熱伝導度絶縁層１７２を形成することで、マスキングの回数を低減させて、第一絶縁層１４２と第二絶縁層１５２とを形成することができる。
【０１００】
（変形例３）
次に、上記実施の形態の変形例３について、説明する。上記変形例２では、第二絶縁層１５２として、高熱伝導度絶縁層１６２ｂが容器本体１１１の４側面に形成され、かつ、高熱伝導度絶縁層１６２ｂ上に低熱伝導度絶縁層１７２が形成されることとした。しかし、本変形例では、第二絶縁層として、低熱伝導度絶縁層が容器本体１１１の４側面に形成され、かつ、高熱伝導度絶縁層上に高熱伝導度絶縁層が形成される。
【０１０１】
図１０は、本発明の実施の形態の変形例３に係る蓄電素子１０３が有する第一絶縁層１４３及び第二絶縁層１５３の詳細な構成を示す断面図である。具体的には、同図は、蓄電素子１０３をＹＺ平面で切断した場合の第一絶縁層１４３及び第二絶縁層１５３の構成を示す断面図であり、電極体１１３などの容器１１０の内部の構成要素は省略して図示している。
【０１０２】
同図に示すように、蓄電素子１０３は、第一絶縁層１４３として高熱伝導度絶縁層１６３ａを有しており、第二絶縁層１５３として低熱伝導度絶縁層１７３及び高熱伝導度絶縁層１６３ｂを有している。つまり、容器本体１１１の４側面に、低熱伝導度絶縁層１７３が形成され、低熱伝導度絶縁層１７３上及び容器本体１１１の底面に高熱伝導度絶縁層１６３ａ、１６３ｂが形成されている。
【０１０３】
このように、容器本体１１１には、容器本体１１１の外面のうちの第二面（側面）を覆うように、低熱伝導度絶縁層１７３が形成されており、低熱伝導度絶縁層１７３上及び容器本体１１１の第一面（底面）には、さらに高熱伝導度絶縁層１６３ａ、１６３ｂが形成されている。ここで、第一絶縁層１４３は、第一面（底面）に形成された高熱伝導度絶縁層１６３ａであり、第二絶縁層１５３は、第二面（側面）に形成された高熱伝導度絶縁層１６３ｂ及び低熱伝導度絶縁層１７３である。
【０１０４】
以上のように、本発明の実施の形態の変形例３に係る蓄電素子１０３によれば、第一絶縁層１４３は第二絶縁層１５３よりも熱伝導度が高いため、上記実施の形態と同様の効果を奏することができ、また、上記の変形例２と同様の効果も奏することができる。つまり、第二面（側面）に低熱伝導度絶縁層１７３を形成してから、第一面（底面）及び第二面に高熱伝導度絶縁層１６３ａ、１６３ｂを形成することで、マスキングの回数を低減させて、第一絶縁層１４３と第二絶縁層１５３とを形成することができる。
【０１０５】
（変形例４）
次に、上記実施の形態の変形例４について、説明する。上記実施の形態では、蓄電素子１００の底面が冷却手段３００と対向する位置に配置されることとした。しかし、本変形例では、蓄電素子の側面が冷却手段３００と対向する位置に配置される。
【０１０６】
図１１は、本発明の実施の形態の変形例４に係る蓄電モジュール１１の外観を示す斜視図である。なお、同図は、外装体２００を透視して外装体２００内方を示した図となっている。
【０１０７】
同図に示すように、蓄電モジュール１１は、外装体２００の側方に、冷却手段３００を備えている。つまり、冷却手段３００は、複数の蓄電素子１０４の容器の側面（短側面）に当接することで、当該複数の蓄電素子１０４のそれぞれの容器から放出される熱を冷却する。
【０１０８】
ここで、蓄電素子１０４の容器の側面のうち、冷却手段３００と対向する面（一方の短側面）には、第一絶縁層１４４が形成されている。また、蓄電素子１０４の容器の第一絶縁層１４４が形成されていない面（長側面、他方の短側面及び底面）には、第二絶縁層１５４が形成されている。
【０１０９】
つまり、複数の蓄電素子１０４の容器が有する第一絶縁層１４４は、容器本体の外面のうち、容器から放出される熱を冷却する冷却手段３００と対向する位置に形成されている。また、複数の蓄電素子１０４の容器が有する第二絶縁層１５４は、容器本体の外面のうち、隣接する蓄電素子１０４と対向する位置に形成されている。このように、複数の蓄電素子１０４は、第二絶縁層１５４同士が対向するように配置されるとともに、第一絶縁層１４４が冷却手段３００と対向する位置に配置されている。
【０１１０】
以上のように、本発明の実施の形態の変形例４に係る蓄電モジュール１１によれば、上記実施の形態と同様の効果を奏することができる。
【０１１１】
以上、本発明の実施の形態及びその変形例に係る蓄電素子及び蓄電モジュールについて説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１１２】
例えば、上記実施の形態及びその変形例では、蓄電モジュールは、それぞれの蓄電素子の第一絶縁層と対向する位置に冷却手段を有していることとしたが、当該冷却手段を有していなくともよい。この場合でも、高熱伝導度の第一絶縁層からの放熱により、蓄電素子の内部の過熱を低減することができる。
【０１１３】
また、上記実施の形態及びその変形例では、第一絶縁層は、低熱伝導度絶縁層を有することなく、高熱伝導度絶縁層を有していることとしたが、第一絶縁層は、高熱伝導度絶縁層と低熱伝導度絶縁層とを有する構成も考えられる。しかし、第一絶縁層に低熱伝導度絶縁層が含まれることで第一絶縁層の熱伝導度が低下するため、第一絶縁層は、低熱伝導度絶縁層を有していない構成の方が好ましい。
【０１１４】
また、上記実施の形態及び上記変形例を任意に組み合わせて構築される形態も、本発明の範囲内に含まれる。例えば、上記実施の形態の変形例４に、上記実施の形態の変形例１〜３を適用した構成などでもかまわない。
【０１１５】
なお、本発明は、このような蓄電素子または蓄電モジュールとして実現することができるだけでなく、当該蓄電素子に備えられる容器として実現することもできる。
【産業上の利用可能性】
【０１１６】
本発明は、リチウムイオン二次電池などの蓄電素子等に適用できる。
【符号の説明】
【０１１７】
１０、１１  蓄電モジュール
１００、１０１、１０２、１０３、１０４  蓄電素子
１１０  容器
１１１  容器本体
１１１ａ  開口部
１１２  蓋体
１１３  電極体
１１４  正極集電部材
１１５  負極集電部材
１２０  正極端子
１３０  負極端子
１４０、１４１、１４２、１４３、１４４  第一絶縁層
１５０、１５１、１５２、１５３、１５４  第二絶縁層
１６０、１６１、１６２ａ、１６２ｂ、１６３ａ、１６３ｂ  高熱伝導度絶縁層
１７０、１７１ａ、１７１ｂ、１７２、１７３  低熱伝導度絶縁層
２００  外装体
３００  冷却手段
【図１】
2015144068.tif 000003
【図２】
2015144068.tif 000004
【図３】
2015144068.tif 000005
【図４】
2015144068.tif 000006
【図５】
2015144068.tif 000007
【図６】
2015144068.tif 000008
【図７】
2015144068.tif 000009
【図８】
2015144068.tif 000010
【図９】
2015144068.tif 000011
【図１０】
2015144068.tif 000012
【図１１】
2015144068.tif 000013